(57)【要約】【課題】フィルム貼付装置のブレーキ装置を提供する。【解決手段】フィルム貼付装置のブレーキ装置は、握持スリーブ１０、ブレーキブロック２０及びフィルム嵌合スリーブ３０を備える。握持スリーブ１０は、筒身部１１を含む。筒身部１１の一端には、径方向で当止部１２が突設される。握持スリーブ１０の筒身部１１には、弾片１５が設けられる。弾片１５の外周壁には、嵌合溝１６が形成される。弾片１５の内周壁には、押圧部が設けられる。筒身部１１の他端には、少なくとも１つの位置決め部材１８が設けられる。ブレーキブロック２０は、嵌合溝１６に配設される。フィルム嵌合スリーブ３０は、握持スリーブ１０の筒身部１１に回転可能に嵌合される。フィルム嵌合スリーブ３０の一端には、径方向でリップ３１が突設される。リップ３１は、当止部１２に当止され、フィルム嵌合スリーブ３０の他端は、位置決め部材１８に当止される。【選択図】図２
0003202634.tif 000002
【実用新案登録請求の範囲】
【請求項１】
握持スリーブ、ブレーキブロック及びフィルム嵌合スリーブを備えたフィルム貼付装置のブレーキ装置であって、
前記握持スリーブは、筒身部を含み、前記筒身部の一端には、径方向で当止部が突設され、前記握持スリーブの前記筒身部には、弾片が設けられ、前記弾片の外周壁には、嵌合溝が形成され、前記弾片の内周壁には、押圧部が設けられ、前記筒身部の他端には、少なくとも１つの位置決め部材が設けられ、
前記ブレーキブロックは、前記嵌合溝に配設され、
前記フィルム嵌合スリーブは、前記握持スリーブの前記筒身部に回転可能に嵌合され、前記フィルム嵌合スリーブの一端には、径方向でリップが突設され、前記リップは、当止部に当止され、前記フィルム嵌合スリーブの他端は、前記位置決め部材に当止され、前記フィルム嵌合スリーブは、前記当止部と前記位置決め部材との間で回転可能に位置決めされ、
前記弾片の前記押圧部を押圧すると、前記ブレーキブロックが前記フィルム嵌合スリーブの内周壁に押し当てられ、前記フィルム嵌合スリーブにブレーキが作用することを特徴とするフィルム貼付装置のブレーキ装置。
【請求項２】
前記筒身部は、円筒状であるとともに、円心を有し、
前記ブレーキブロックは、弓形状に成形されるとともに、円心を有する弧状面が外周壁に成形され、
前記ブレーキブロックの前記外周壁と前記筒身部の前記外周壁とは偏心させて設けられ、前記ブレーキブロックの前記外周壁の曲率半径は、前記筒身部の前記外周壁の曲率半径より略大きく、前記ブレーキブロックが前記嵌合溝に配設され、前記ブレーキブロックの前記外周壁が両端部から中央部にかけて小さく成形されることを特徴とする請求項１に記載のフィルム貼付装置のブレーキ装置。
【請求項３】
前記弾片の前記外周壁には、階段状溝が凹設され、
前記階段状溝及び前記筒身部の外周壁には、段差部が形成され、
前記階段状溝には、前記嵌合溝が凹設されることを特徴とする請求項１に記載のフィルム貼付装置のブレーキ装置。
【請求項４】
前記筒身部の前記弾片の前記外周壁には、Ｕ字状貫通孔が形成され、
前記弾片には、弾力端が形成され、
前記押圧部は、前記弾片の前記弾力端に設けられることを特徴とする請求項１に記載のフィルム貼付装置のブレーキ装置。
【請求項５】
前記嵌合溝には、横方向の嵌合バンプが設けられ、
前記ブレーキブロックは、前記嵌合バンプに対応するように横方向の嵌合凹溝が凹設されることを特徴とする請求項１に記載のフィルム貼付装置のブレーキ装置。
【考案の詳細な説明】
【技術分野】
【０００１】
本考案は、フィルム貼付装置に関し、特に、フィルム貼付装置のブレーキ装置に関する。
【背景技術】
【０００２】
一般に工業分野における包装作業では、ロールフィルムを用いて製品を包装する。包装作業をよりスムーズ且つ簡便に行うために、操作員は、フィルム貼付装置に装着したロールフィルムを用いて包装作業を行うのが一般的である。
【０００３】
図１は、従来のフィルム貼付装置を示す分解斜視図である。従来のフィルム貼付装置は、握持スリーブ１を含む。握持スリーブ１は弾片２を有する。握持スリーブ１の周りには、フィルム嵌合スリーブ３が外嵌される。フィルム嵌合スリーブ３には、ロールフィルムが嵌合される。
【０００４】
ロールフィルムで包装作業を行う際、ロールフィルムに一定の張力を発生させ、ロールフィルムにより製品を密に被覆する。操作員がフィルム貼付装置を使用する際、弾片２をフィルム嵌合スリーブ３の内周壁へ押し当てると、フィルム嵌合スリーブ３に抵抗力が発生し、ロールフィルムに張力が発生する。
【０００５】
しかし、従来のフィルム貼付装置の抵抗力は明らかに不足しているため、ロールフィルムの張力には限界があり、フィルム貼付装置により包装作業を行う際、ロールフィルムに必要な張力が不足するため、従来のフィルム貼付装置は包装作業のニーズを満たすことはできなかった。
【考案の概要】
【考案が解決しようとする課題】
【０００６】
本考案の主な目的は、弾片の押圧部を押圧すると、ブレーキブロックがフィルム嵌合スリーブの内周壁に押し当てられて抵抗力が発生し、フィルム嵌合スリーブにブレーキが作用し、フィルム貼付装置を使用して包装作業を行う際、必要に応じてブレーキ作用によりフィルムに所望の張力を発生させる、フィルム貼付装置のブレーキ装置を提供することにある。
【図面の簡単な説明】
【０００７】
【図１】図１は、従来のフィルム貼付装置を示す分解斜視図である。
【図２】図２は、本考案の一実施形態に係るフィルム貼付装置のブレーキ装置を示す分解斜視図である。
【図３】図３は、本考案の一実施形態に係るフィルム貼付装置のブレーキ装置を示す斜視図である。
【図４】図４は、本考案の一実施形態に係るフィルム貼付装置のブレーキ装置を示す縦断面図である。
【図５】図５は、本考案の一実施形態に係るフィルム貼付装置のブレーキ装置を示す横断面図である。
【図６】図６は、本考案の一実施形態に係る握持してブレーキブロックを押し当てた際の使用状態の説明図である。
【図７】図７は、本考案の一実施形態に係るブレーキブロックでブレーキを行う使用状態の説明図である。
【図８】図８は、本考案の一実施形態に係るブレーキブロックでブレーキを行う使用状態の説明図である。
【考案を実施するための形態】
【０００８】
図２〜図５を参照する。図２は、本考案の一実施形態に係るフィルム貼付装置のブレーキ装置を示す分解斜視図である。図３は、本考案の一実施形態に係るフィルム貼付装置のブレーキ装置を示す斜視図である。図４は、本考案の一実施形態に係るフィルム貼付装置のブレーキ装置を示す縦断面図である。図５は、本考案の一実施形態に係るフィルム貼付装置のブレーキ装置を示す横断面図である。図２〜図５に示すように、本考案の一実施形態に係るフィルム貼付装置のブレーキ装置は、少なくとも握持スリーブ１０、ブレーキブロック２０及びフィルム嵌合スリーブ３０から構成されてなる。
【０００９】
握持スリーブ１０は、筒身部１１を含む。筒身部１１は、円筒状であるとともに、円心Ｃ１を有する。筒身部１１の一端には、径方向で当止部１２が突設される。当止部１２は、一側が延びて凸弧面１３に成形される。凸弧面１３は、筒身部１１の外周壁に対して略平行である。当止部１２は、凸弧面１３と筒身部１１との間で、複数の強化リブ１４が径方向に設けられる。握持スリーブ１０の筒身部１１には、弾片１５が設けられる。本実施形態の筒身部１１の弾片１５は、Ｕ字状貫通孔１５１が外周壁に形成されるとともに、弾力端１５２を有する。弾力端１５２の外周壁には、階段状溝１９が凹設される。階段状溝１９及び筒身部１１の外周壁には、段差部ｄが形成される。階段状溝１９には、嵌合溝１６が凹設される。嵌合溝１６には、横方向の嵌合バンプ１６１が設けられる。弾片１５の弾力端１５２の内周壁には、押圧部１７が突設される。また、筒身部１１の他端には、少なくとも１つの位置決め部材１８が設けられる。位置決め部材１８は、ラッチ１８２を含む。ラッチ１８２の外周側には、Ｕ字状貫通孔１８１が形成される。
【００１０】
ブレーキブロック２０は、ゴムその他摩擦力が高い材料からなる上、略弓形状に成形され、嵌合バンプ１６１に対応するように横方向に凹設された嵌合凹溝２１を有する。嵌合溝１６には、ブレーキブロック２０が配設される。ブレーキブロック２０の外周壁は、円心Ｃ２を有する弧状面に成形される。ブレーキブロック２０の外周壁と筒身部１１の外周壁とは偏心させて設けられる。ブレーキブロック２０の外周壁の曲率半径は、筒身部１１の外周壁の曲率半径より略大きく、ブレーキブロック２０が嵌合溝１６に配設され、ブレーキブロック２０の外周壁が両端部から中央部にかけて小さく成形される。
【００１１】
フィルム嵌合スリーブ３０は、握持スリーブ１０の筒身部１１の周りに回転可能に外嵌される。フィルム嵌合スリーブ３０の一端には、径方向でリップ３１が突設される。リップ３１は、当止部１２に当止される。フィルム嵌合スリーブ３０の他端は、位置決め部材１８に当止される。フィルム嵌合スリーブ３０は、当止部１２と位置決め部材１８との間で回転可能であり、外周壁に複数のリブ３２が軸方向で間隔をおいて突設される。
【００１２】
図６〜図８を参照する。図６は、本考案の一実施形態に係る握持して押し当てるブレーキブロックの使用状態の説明図である。図７は、本考案の一実施形態に係るブレーキブロックでブレーキを行う使用状態の説明図である。図８は、本考案の一実施形態に係るブレーキブロックでブレーキを行う使用状態の説明図である。図６〜図８に示すように、操作者がフィルム貼付装置にロールフィルムを装着し、フィルム貼付装置を握持して操作する際、掌を当止部１２の底部と凸弧面１３とに当て、指を筒身部１１に挿入して押圧部１７に軽く触ると、強く握持してフィルム貼付装置を操作することができる。このときフィルム嵌合スリーブ３０は、握持スリーブ１０の筒身部１１の周りで回転可能であり、フィルム嵌合スリーブ３０に装着されたロールフィルムを容易に繰り出すことができる。
【００１３】
ロールフィルムに張力を発生させてロールフィルムで製品を密に被覆する際、ユーザが弾片１５の押圧部１７を押圧すると、弾片１５の弾力端１５２が外方向に押動され、ブレーキブロック２０がフィルム嵌合スリーブ３０の内周壁へ押し当てられると、ブレーキブロック２０によりフィルム嵌合スリーブ３０に摩擦抵抗力が発生し、フィルム嵌合スリーブ３０にブレーキが作用し、ブレーキの作用によりロールフィルムに張力が発生する。
【００１４】
階段状溝１９は、筒身部１１の外周壁に形成された段差部ｄを有し、ブレーキブロック２０が嵌合溝１６中に配設されると、ブレーキブロック２０の筒身部１１の外周壁に当接される一側が階段状溝１９の段差部ｄから露出される。ブレーキブロック２０がフィルム嵌合スリーブ３０の内周壁に押し当てられると、ブレーキブロック２０の露出部分が直接にフィルム嵌合スリーブ３０の内周壁に確実に押し当てられるため、高いブレーキ効果を得ることができる。長時間使用してブレーキブロック２０が摩損した場合でも、ブレーキブロック２０の露出された部分をフィルム嵌合スリーブ３０の内周壁に直接に押し当てることができるため、正常に使用することができる上、高いブレーキ効果を得ることができる。
【００１５】
また、ブレーキブロック２０の外周壁と筒身部１１の外周壁とは偏心させて設けられ、ブレーキブロック２０の外周壁は両端部から中央部にかけて小さく成形される。ユーザが弾片１５の押圧部１７を押動すると、ブレーキブロック２０の両端部が、まず、フィルム嵌合スリーブ３０の内周壁に押し当てられ、弾片１５の押圧部１７が押圧され続けると、ブレーキブロック２０の中央部もフィルム嵌合スリーブ３０の内周壁に押し当てられ、さらに大きな摩擦抵抗力が発生し、フィルム嵌合スリーブ３０に大きなブレーキが作用する。このように、ユーザは押圧部１７を押圧する力を調整することにより、ブレーキブロック２０がフィルム嵌合スリーブ３０に押し当てられる接触面積を調整し、ブレーキブロック２０とフィルム嵌合スリーブ３０との摩擦抵抗力を調整することができ、ユーザはフィルム嵌合スリーブ３０のブレーキ作用を調整してロールフィルムの張力を調整することができる。
【００１６】
フィルム貼付装置がブレーキを行う際、まず、ブレーキブロック２０の両端部をフィルム嵌合スリーブ３０の内周壁に押し当ててから、ブレーキブロック２０の中央部をフィルム嵌合スリーブ３０の内周壁に押し当てることにより、漸次的にブレーキを作用させる。そのため、ロールフィルムを貼着する際、ロールフィルムが牽引されてブレーキブロック２０に接触され、フィルム嵌合スリーブ３０がブレーキ作用により急に止まり、ロールフィルムが全く回転しなくなることを防ぐ。
【００１７】
ユーザが弾片１５の押圧部１７を押圧することを止めると、弾片１５の弾力端１５２が復位し、ブレーキブロック２０がフィルム嵌合スリーブ３０の内周壁から離れ、フィルム嵌合スリーブ３０が握持スリーブ１０の筒身部１１の外周で回転可能となり、フィルム嵌合スリーブ３０に装着したロールフィルムを繰り出すことができるようになる。
【符号の説明】
【００１８】
１  握持スリーブ
２  弾片
３  フィルム嵌合スリーブ
１０  握持スリーブ
１１  筒身部
１２  当止部
１３  凸弧面
１４  強化リブ
１５  弾片
１６  嵌合溝
１７  押圧部
１８  位置決め部材
１９  階段状溝
２０  ブレーキブロック
２１  嵌合凹溝
３０  フィルム嵌合スリーブ
３１  リップ
３２  リブ
１５１  Ｕ字状貫通孔
１５２  弾力端
１６１  嵌合バンプ
１８１  Ｕ字状貫通孔
１８２  ラッチ
Ｃ１  円心
Ｃ２  円心
ｄ  段差部
【図１】
0003202634.tif 000003
【図２】
0003202634.tif 000004
【図３】
0003202634.tif 000005
【図４】
0003202634.tif 000006
【図５】
0003202634.tif 000007
【図６】
0003202634.tif 000008
【図７】
0003202634.tif 000009
【図８】
0003202634.tif 000010